(57)【要約】　　　（修正有）【課題】本考案は、紙などシート状のものを吊り下げるのに、容易に取り付け取り外しができることを要旨とする。【解決手段】本考案は、上記目的を達成するためのもので、後部板１、上部板２、前部板３、下部板４、両側面板５からなる箱の下部板および両側面板と後部板との間にはシート挿入用の間隙を有し、これらの板に囲まれた空間に、一辺が下部板の上にあり対辺が前部板に接するように立てかけられ下方に向い後部板に漸近する弾性体の板７と、弾性体の板と後部板とで作られた空間に、軸方向が両側面を向いた円筒体６が置かれ、後部板と下部板の間隙にシートが挿入され保持されるシート吊り下げ具。【選択図】　　　　図２
0003096914.tif 000002
【実用新案登録請求の範囲】
【請求項１】
後部板、上部板、前部板、下部板、両側面板からなる箱の下部板および両側面板と後部板との間にはシート挿入用の間隙を有し、これらの板に囲まれた空間に、一辺が下部板の上にあり対辺が前部板に接するように立てかけられ下方に向い後部板に漸近する弾性体の板と、弾性体の板と後部板とで作られた空間に、軸方向が両側面を向いた円筒体が置かれ、後部板と下部板の間隙にシートが挿入され保持されるシート吊り下げ具
【請求項２】
前記弾性体の板は長方形の板を一辺に平行に９０度以上折り曲げ、できた２つの長方形からなる板の一面を下部板に置き、他面の一辺が前部板に接するように置かれた請求項１記載のシート吊り下げ具。
【請求項３】
請求項１記載のシート吊り下げ具において、円筒体に代えて球体を備えたシート吊り下げ具
【考案の詳細な説明】
【０００１】
【考案の属する技術分野】
本考案は、車内広告、店内表示、事務室あるいは屋外などで、紙、木板、プラスチックあるいは金属などシート状のものを吊り下げることに関するものである。
【０００２】
【従来の技術】
車内広告あるいは店内表示などで紙などのシート状のものを吊り下げるとき、容易に取り付けおよび取り外しのできる用具として、図４に示すシート保持具が従来より使われている。
【０００３】
この保持具は前方板１０は下方に向い後方板８に漸近し、前方板１０、後方板８および上方板９からなる空間内部に丸棒１１が置かれている。シート１３は間隙１２より入り、後方板８と丸棒１１の間を通り挿入される。シート１３が挿入されるとき、丸棒１１は前方板１０と後方板８との間隔が広くなる上方向に動こうとし、シート１３を後方板８に押し付ける働きは小さくシート１３は容易に挿入できるが、シート１３を下方へ引き抜こうとすると、丸棒１１は前方板１０と後方板８からなる間隔が小さくなる下方向に動こうとすることにより楔の働きをし、シート１３を後方板８に押し付けるため、シート１３は保持され容易に引き抜けない。
【０００４】
シート１３を外す時、シート１３を下方に引き抜くと、シート１３が丸棒１１と後方板８の間に挟まれている間丸棒１１の楔の働きが維持され、引き抜くまでにシート１３が破損する恐れがある。シート１３をより安全に取り外すには、シート１３を水平方向に引き抜かねばならず、シート１３はその幅だけ水平方向に動かすこととなる。
【０００５】
シート１３を容易に取り外せるという観点からは、シート１３を水平方向に動かして取り外すのではなく、単に引き抜くことでシートが破損せずに取り外せ、かつ所定のシート保持力を持つことが望まれる。
【０００６】
シート１３を引き抜くときシート１３の破損の可能性を小さくするには、前方板１０の後方板８に対する傾斜角を大きくし丸棒１１の楔の作用が強く働かないように設計することができるが、シート１３を保持する力が弱くなり確実にシートが保持されない欠点が生じる。
【０００７】
丸棒に代えて、球体とした用具も提供されている。
【０００８】
【考案が解決しようとする課題】
従来の方法に比較して、紙、板、金属あるいはプラスチックなどからなるシート状のもののその一辺を支持し吊り下げるとき、取り付けが容易で、所定の力でシートを保持することができ、かつ単に引き抜くことにより、シートを痛めず容易に取り外しができることである。
【０００９】
【課題を解決するための手段】
本考案は、上記目的を達成するためのもので、後部板１、上部板２、前部板３、下部板４、両側面板５ａ，５ｂからなる箱の下部板４および両側面板５ａ，５ｂと後部板１との間にはシートを挿入する間隙を有し、これらの板に囲まれた空間に、一辺が下部板４の上にあり、対辺が前部板３に接するように立てかけられ、下方に向って後部板１に漸近する弾性体の板７と、弾性体の板７と後部板１とで作られた空間に軸方向が両側面板５ａ、５ｂを向いた円筒体６が置かれ、後部板１と下部板４の間隙から差し込まれ円筒体６と後部板１の間に挟まれシート１３が保持されることを要旨とする。
【００１０】
弾性体の板７は、長方形の板を一辺に平行に９０度以上折り曲げ、できた２つの長方形からなる板の一面を下部板に置き、他面の一辺が前部板に接触するように置かれる。
【００１１】
下部板４は、箱の内側の後部板１との間隙に面した辺に沿って弾性板の前後の動きを止めるための突起部が設けられている。
【００１２】
シート１３は後部板１と下部板４との間に設けられた間隙に挿入され、後部板１と円筒体６の間を通り、そこで保持される。シート１３が下方に落下しようとすると円筒体６がシートとの摩擦力により下方に引っ張られる。このとき、円筒体６は後部板１と弾性体の板７との間隔が小さくなる方向に動くため、楔の作用が働きシートを後部板１に押し付けるため、シートは保持される。シート１３を外す時には、シート１３を下方に引くと、円筒体６も引っ張られ下方に動き、円筒体６は弾性体の板７を下方に凸に曲げる。弾性体の板７が下方に曲がると、後部板１との傾斜角が大きくなり、楔の効果が小さくなり、シートを容易に引き抜けることになる。
【００１３】
この円筒体６の楔の作用は、後部板１と弾性体の板７との傾斜角が大きいほど小さい。傾斜角が大きくなるとシート１３が下方に動くとき、シート１３と円筒体６の摩擦力により、円筒体６が周方向に回転し楔の効果が小さくなる。間隙に挿入されたシート１３を引くと円筒体６との摩擦力によりシート１３が円筒体６を下方に下げ、弾性体の板７を下方に凸に曲げる。弾性体の板７がこのように曲がると後部板１と弾性体の板７とが作る傾斜角が大きくなり、一定量曲がると円筒体６の回転動作が強くなり、弾性体の板７とスリップが始まり、以後楔の作用が十分小さくなり、シートは容易に引き抜けることになる。すなわち、シート１３が下方に動き、円筒体６と接している間中強く楔の作用を受けるのではなく、シート１３が動き始める時に楔の作用が弱まるので、引き抜く途中で、シート１３が破損する可能性は小さくなる。
【００１４】
シートを保持する力あるいは楔の働きは、円筒体６と弾性体の板７およびシート１３の接触状態に依存するので、円筒体６の軸方向に分布する。
【００１５】
円筒体６を球体と代えると、球と弾性体の板およびシートの接触点はそれぞれ１点であり、シート支持力は小さいが、支持力の分布はなくなる。
【００１６】
弾性体の板については、長方形の板の一辺を下部板４の上に、他辺を前部板３に立てかけられ、上部板に達する弾性体の板で本考案の機能を持つことができるが、本考案の弾性体の板７は一面が下部板あり、前後に移動しにくいことから、後部板１との距離が精度よく保たれ、シート保持力をより安定に決めることができる。
【００１７】
【考案の実施の形態】
図１は本考案シート保持具の実施例でシートを保持している概観斜視図である。シート１３は２つの矢印で示したように後部板１の前面に設けられた間隙に差し込んだり、引き抜くことのみの動作で、容易に取り付け取り外しが可能となる。
【００１８】
図２は本考案シート保持具の組み立て説明図である。後部板１、上部板２、前部板３、下部板４、側面板５ａおよび側面板５ｂで囲まれた空間は、後部板１と下部板４および両側面板５ａ、５ｂとの間に間隙が設けられる。この空間には、軸方向が両側面を向いた円筒体６および一辺が下部板４にあり対辺が前面板３に接し、後部板との間隔が下部に行くほど狭くなるように設定した弾性体の板７が置かれている。シートは後部板１と下部板４および両側面板５ａ、５ｂとの間に間隙に差し込むことにより、保持される。
【００１９】
図３は機能を説明するための図であり、図１にＡ−Ａ矢視で示した断面図である。シート１３は円筒体６と後部板１との間に挟まれて保持される。シートが挿入されるときには、円筒体６は後部板１と弾性体の板７からできる間隙が広くなる方向に動こうとしシート１３を上方にうごかすときにシート１３への抵抗は小さい。シート１３が自重で下に動こうとしたときは、円筒体６は後部板１と弾性体の板７からできた間隔が小さくなる方向に動くため、楔の作用をシート１３に及ぼしシート１３を後部版１に押し付けるので、シート１３はその状態で保持される。シート１３を取り外すために下方に引き抜くと、円筒体６はシート１３との摩擦力により、仮想円筒体６ａと表示した下方に動く。このとき弾性体の板７は仮想弾性体の板７ａに示したように下に凸に曲がる。円筒体６の楔の作用は後部板１に対する弾性体の板７の傾斜角が大きいほど小さい。シート１３を下方に引くと弾性体の板７は仮想弾性体の板７ａに示したごとく、後部板１との傾斜角が大きくなり、円筒体６は仮想円筒体６ａの位置で回転しようとし楔の効果が小さくなり、シート１３は容易に引き抜けることができるようになる。
【００２０】
シート１３の保持力と引き抜き時シートにかかる抵抗は、円筒体６の直径、重量および表面粗さならびに弾性体の板７の弾性度および弾性体の板７と後部板１との傾斜角に主として依存する。
【００２１】
本考案において、弾性体の板は一辺に平行に９０度以上折り曲げ、できた２つの長方形の板からなるＬ字型に近い形状の弾性体の板の一面を下部板に置き、他面の一辺が前部板に接触するように配置する。
【００２２】
【実施例】
【００２３】
【考案の効果】
本考案を使いシートを吊り下げるとき、取り付けはシートを間隙に挿入することにより行え、また取り外しす時には単に引き抜くことで、シートが破損することなく取り外すことができる。
【図面の簡単な説明】
【図１】本考案のシート保持具の実施例でシートを保持している概観斜視図である。
【図２】本考案のシート保持具を分解し組みたてを例示したものである。
【図３】本考案のシート保持具の横断面図である。
【図４】従来のシート保持装置を示す概観斜視図である。
【符号の説明】
１　　後部板
２　　上部板
３　　前部板
４　　下部板
５ａ　側面板
５ｂ　側面板
６　　円筒体
６ａ　仮想円筒体
７　　弾性体の板
７ａ　仮想弾性体の板
８　　後方板
９　　上方板
１０　　前方板
１１　　丸棒
１２　　間隙
１３　　シート
【図１】
0003096914.tif 000003
【図２】
0003096914.tif 000004
【図３】
0003096914.tif 000005
【図４】
0003096914.tif 000006